(57)【要約】【課題】流路構造体において、供給流路の下流側に供給される気泡を小さくすることができる技術を提供する。【解決手段】流路構造体は、液体に含まれる気泡を取り除くために気泡を一時的に滞留させる気泡室と、気泡室に液体を供給する供給流路と、気泡室から液体を排出する排出流路と、を備える。供給流路の内壁に、内壁から供給流路の流路の内部に向かって延伸するリブが備えられる。この形態の流路構造体によれば、供給流路の流路の中心に向かって延伸するリブが供給流路内に備えられる。【選択図】図２
2020104271.tif 000002
【特許請求の範囲】
【請求項１】
流路構造体であって、
液体に含まれる気泡を取り除くために前記気泡を一時的に滞留させる気泡室と、
前記気泡室に前記液体を供給する供給流路と、
前記気泡室から前記液体を排出する排出流路と、を備え、
前記供給流路の内壁に、前記内壁から前記供給流路の流路の内部に向かって延伸するリブが備えられる、
流路構造体。
【請求項２】
前記リブは、前記内壁のうち、前記供給流路内の前記液体の流通方向に沿った複数の位置にそれぞれ備えられる、請求項１に記載の流路構造体。
【請求項３】
前記複数の位置のうち、第一位置と、前記供給流路のうち前記第一位置よりも前記気泡室に近い第二位置とに備えられるリブの数において、
前記第二位置に備えられるリブの数は、前記第一位置に備えられるリブの数よりも多い、請求項２に記載の流路構造体。
【請求項４】
前記複数の位置のいずれかの位置に備えられるリブと、前記複数の位置のいずれかの位置よりも前記気泡室に近い位置に備えられるリブとが、前記流通方向に沿って見たときに、互いに交差する、請求項２または請求項３に記載の流路構造体。
【請求項５】
前記リブの備えられる位置における鉛直方向に沿った前記供給流路の断面において、前記断面の面積に対する前記リブの占有面積は鉛直方向下側よりも上側の方が大きい、請求項１から請求項４までのいずれか一項に記載の流路構造体。
【請求項６】
前記リブは、鉛直方向に沿った前記供給流路の断面の高さの１／３よりも鉛直方向の下側の前記内壁には備えられない、請求項１から請求項５までのいずれか１項に記載の流路構造体。
【請求項７】
前記リブは、前記供給流路のうち、前記供給流路の前記気泡室側の端部から、前記供給流路の全長の１／５の位置までの範囲に備えられる、請求項１から請求項６までのいずれか一項に記載の流路構造体。
【請求項８】
気体を透過させる透過部材と、
前記透過部材を介して前記気泡室と隣接し、前記気泡室よりも低い圧力に減圧される減圧室と、を更に備える、請求項１から請求項７までのいずれか一項に記載の流路構造体。
【請求項９】
流路構造体と、前記流路構造体から供給される液体を吐出する吐出部と、を備える液体吐出ヘッドであって、
前記流路構造体は、
液体に含まれる気泡を取り除くために前記気泡を一時的に滞留させる気泡室と、
前記気泡室に前記液体を供給する供給流路と、
前記気泡室から前記液体を排出する排出流路と、を備え、
前記供給流路の内壁に、前記内壁から前記供給流路の流路の内部に向かって延伸するリブが備えられる、
液体吐出ヘッド。
【発明の詳細な説明】
【技術分野】
【０００１】
本開示は、流路構造体および液体吐出ヘッドに関する。
【背景技術】
【０００２】
インクカートリッジに収容されたインクを液体吐出ヘッドへ供給するための流路構造体を備えるインクジェット式プリンターが知られている。インクには、インクカートリッジの交換やプリンターの温度変化等によって気泡が生じることがあり、インク内の気泡は液体吐出ヘッドの吐出不良を引き起こすことがある。その対策として、流路構造体に、気泡を一時的に溜める空間である気泡室と、気泡を透過する透過膜を介して気泡室と隣接する減圧室とを設けた流路構造体を採用し、インクの脱泡処理を行う技術が知られている（例えば、特許文献１）。
【先行技術文献】
【特許文献】
【０００３】
【特許文献１】特開２０１０−７６４１４号公報
【発明の概要】
【発明が解決しようとする課題】
【０００４】
透過膜や減圧室によって気泡を除去する速度は、透過膜と接触する気泡の表面積の大きさに依存する。例えば、体積の大きい気泡では、気泡室内で透過膜と接触しない部分の表面積が、体積の小さい気泡に比べて大きくなり、気泡を除去する速度が低下する。しかし、気泡の大きさに合わせて透過膜や減圧室を大型化すると、インク内の水分の蒸発を促進させ、インクが増粘し、吐出性能を低下させてしまう虞がある。したがって、流路構造体において、透過膜や減圧室を大型化すること無く効率良く気泡を除去できる技術が望まれていた。
【課題を解決するための手段】
【０００５】
本開示の一形態によれば、流路構造体が提供される。この流路構造体は、液体に含まれる気泡を取り除くために前記気泡を一時的に滞留させる気泡室と、前記気泡室に前記液体を供給する供給流路と、前記気泡室から前記液体を排出する排出流路と、を備える。前記供給流路の内壁に、前記内壁から前記供給流路の流路の内部に向かって延伸するリブが備えられる。
【図面の簡単な説明】
【０００６】
【図１】印刷装置の概略構成図。
【図２】脱泡ユニットの構成を模式的に表す断面図。
【図３】リブが備えられる図２の範囲を表す拡大図。
【図４】図３のＩＶ−ＩＶ位置の断面図。
【図５】第２実施形態の脱泡ユニットを表す拡大図。
【図６】図５のＶＩ−ＶＩ位置の断面図。
【図７】第３実施形態の脱泡ユニットを表す拡大図。
【図８】図７のＶＩＩＩ−ＶＩＩＩ位置の断面図。
【図９】第４実施形態の脱泡ユニットを表す拡大図。
【図１０】図９のＸ−Ｘ位置の断面図。
【発明を実施するための形態】
【０００７】
Ａ．第１実施形態：
図１は、印刷装置１１の概略構成図である。印刷装置１１は、いわゆるシリアル式のインクジェットプリンターである。印刷装置１１が有する制御部（ＣＰＵ、ＭＰＵ）は、ホストコンピュータ等の外部装置から入力される印刷データ、あるいは印刷装置１１が生成する印刷データに基づいて、液体であるインクを吐出するよう、インクの吐出動作を制御する。この吐出動作により、印刷用紙などの記録媒体上にドットを形成して印刷する。図１には、Ｘ方向、Ｙ方向、Ｚ方向が示されている。Ｘ方向は、主走査方向に沿った方向であり、Ｙ方向は、副走査方向に沿った方向である。Ｚ方向は、鉛直方向に沿った方向であり、本実施形態の液体吐出ヘッド１８のインクの吐出方向である。本実施形態において、副走査方向は、主走査方向と直交しているが、直交に限らず任意の角度で交差してもよい。印刷装置１１は、インクカートリッジ２２をキャリッジ１５とは別に設置する、いわゆるオフキャリッジタイプのプリンターである。インクカートリッジ２２は、カートリッジホルダー２１に備えられ、インク供給チューブ２４を介してキャリッジ１５のヘッドユニット２３に供給される。
【０００８】
ヘッドユニット２３は、印刷装置１１のインク吐出装置であり、キャリッジ１５と、液体吐出ヘッド１８とによって構成される。液体吐出ヘッド１８は、プラテン１３と対向する面側、すなわち記録媒体と対向する面側に複数のノズルを備える。複数のノズルは、Ｙ方向に配列されることでノズル列を構成している。液体吐出ヘッド１８は、内部に設けられた図示しない圧電素子を駆動して振動板を変形させることにより、圧力室の内部に充填されたインクを各ノズルから吐出する。圧電素子と振動板と圧力室とノズルとによって一つの吐出部が構成される。
【０００９】
キャリッジモーター１７は、プーリー１６ａを回転させ、この回転力は駆動ベルト１６に伝達される。キャリッジ１５に搭載された液体吐出ヘッド１８は、駆動ベルト１６に伝達された動力を受け、キャリッジガイド１４によりＸ方向に沿って往復移動しながら、プラテン１３上の記録媒体に向けてインクを吐出する。これにより、記録媒体に、Ｘ方向に沿って複数のドットが形成される。記録媒体は、図示しない搬送モーターによりプラテン１３を回転させることにより、副走査方向であるＹ方向に沿った向きに搬送される。
【００１０】
キャリッジ１５は、インクを下流側である液体吐出ヘッド１８に供給するバルブユニット１９と、バルブユニット１９から供給されるインク中に含まれる気泡を脱泡し、脱泡したインクを液体吐出ヘッド１８へ供給する脱泡ユニット２０とを備える。
【００１１】
バルブユニット１９は、各インク供給チューブ２４を介して各インクカートリッジ２２と接続されている。バルブユニット１９は、各インクカートリッジ２２から各インク供給チューブ２４を介して供給されるインクを個別に且つ一時的に貯留し、貯留された各インクは流路２５を介して脱泡ユニット２０に供給される。
【００１２】
インクカートリッジ２２は、本体フレーム１２に備えられたカートリッジホルダー２１内に着脱自在に備えられる。インクカートリッジ２２は、液体の供給源として液体吐出ヘッド１８の上流側に位置している。本実施形態において、カートリッジホルダー２１には、６種類のインクカートリッジ２２が備えられる。インクの種類は、シアン（Ｃｙ）、マゼンタ（Ｍａ）、イエロー（Ｙｅ）、ブラック（Ｂｋ）、ライトシアン（Ｌｃ）、ライトマゼンタ（Ｌｍ）である。インクの種類には、白インクや透明インクが追加されてもよい。
【００１３】
メンテナンスユニット２６は、液体吐出ヘッド１８のクリーニング等のメンテナンスを行うための装置である。メンテナンスユニット２６は、キャップ２７と、図示しない吸引ポンプとを備える。メンテナンスユニット２６は、キャップ２７により各ノズルの開口を囲うように液体吐出ヘッド１８に当接し、その状態で吐出動作を行う（フラッシング）ことで各ノズルから吐出されるインクを図示しない吸引ポンプによって吸引する。この吸引によって、増粘したインクや気泡などがキャップ２７内に排出される。
【００１４】
次に、図２を用いて、脱泡ユニット２０の構成について説明する。図２は、脱泡ユニット２０の構成を模式的に表す断面図である。脱泡ユニット２０は、平板状の脱泡室形成部材３０と、脱泡室形成部材３０のＺ方向側とは逆側の面である上面側に積層された平板状の隔壁部材３１と、隔壁部材３１の上面側に積層された平板状の減圧室形成部材３２とによって構成される流路構造体である。脱泡室形成部材３０、隔壁部材３１、及び減圧室形成部材３２は、剛性を有する合成樹脂製の板材によって構成されている。隔壁部材３１は、気体を透過可能な材料、例えばＰＯＭ（ポリアセタール）、ＰＰ（ポリプロピレン）、ＰＰＥ（ポリフェニレンエーテル）等によって成型されている。脱泡室形成部材３０及び減圧室形成部材３２は、外部の空気を透過して内部のインク内に気泡を形成させないように、隔壁部材３１を構成する合成樹脂よりも気体透過性が低い合成樹脂で構成されている。
【００１５】
本実施形態の脱泡ユニット２０は、脱泡室形成部材３０、隔壁部材３１、減圧室形成部材３２を積層することによって、連絡凹部３４、第一貫通路３１ａ、気泡室３５、流出口３６、第二貫通路３２ａ、隔壁凹部４１、減圧室３９を形成する。流路２５から脱泡ユニット２０に供給されるインクは、第二貫通路３２ａ、第一貫通路３１ａ、連絡凹部３４をこの順に流通して気泡室３５へと供給され、最終的に流出口３６から排出される。第二貫通路３２ａ、第一貫通路３１ａ、連絡凹部３４によって、気泡室３５へインクを供給するための供給流路６０が構成される。図２には、第二貫通路３２ａと、第一貫通路３１ａとの流路の長さＤ１１と、連絡凹部３４の流路の長さＤ１２とが示されている。すなわち、長さＤ１１と長さＤ１２とを足し合わせた値が、供給流路６０の全長Ｄ１である。
【００１６】
脱泡室形成部材３０の内部には、連絡凹部３４と、気泡室３５と、流出口３６とが備えられる。気泡室３５は、脱泡室形成部材３０の上面側に設けられた凹部である。気泡室３５のＺ方向側の底面は、流出口３６へ向かって傾斜している。気泡室３５の底面は、インクの不純物を取り除くための水平板状のフィルター３７によって上側から覆われている。
【００１７】
気泡室３５は、隔壁部材３１によって閉塞されて各インク中に含まれる気泡を滞留させるための液室として機能する。気泡室３５には、Ｘ方向に長尺な矩形状の連絡凹部３４の下流側の端部が接続される。この連絡凹部３４の下流側の端部と気泡室３５とが接続される位置を端部Ｅｇとも呼ぶ。連絡凹部３４のＹ方向の幅は、気泡室３５のＹ方向の幅の３分の１程度とし、Ｚ方向の幅は気泡室３５よりも小さく形成されることによって、気泡室３５に液体を供給する供給流路６０一部を構成する。本実施形態において、連絡凹部３４にはリブ５１が設けられる。リブ５１の詳細については後述する。
【００１８】
気泡室３５のＺ方向側の面、すなわち気泡室３５の底面には、流出口３６が備えられる。流出口３６は、気泡室３５内のインクを排出する排出流路であり、インクの流通方向の下流側に位置する液体吐出ヘッド１８へ供給するためのインクの流路である。脱泡ユニット２０の「インクの流通方向」とは、供給流路６０から流出口３６に向かって液体を流通する場合における巨視的なインクの流通方向のことを表す。インクの流通方向の上流側とは、供給流路６０から流出口３６に向かってインクを流通する流通方向における上流側のことを表し、インクの流通方向の下流側とは、供給流路６０から流出口３６に向かってインクを流通する流通方向での下流側のことを表す。
【００１９】
隔壁凹部４１は、隔壁部材３１の下面側に備えられる開口である。隔壁凹部４１は、気泡室３５のＺ方向側とは逆側の面、すなわち気泡室３５の上面に位置するように備えられる。隔壁凹部４１は、気泡室３５に導かれ浮力によって上昇する気泡を集める機能を有する。隔壁部材３１を備えない場合には、隔壁凹部４１は、脱泡室形成部材３０内に気泡室３５と一体に形成されてもよい。隔壁凹部４１のうち連絡凹部３４側の面４１ａは、水平面に対し、連絡凹部３４側から区画部４０側に向かう斜面になっている。これにより、気泡室３５内の気泡は、隔壁凹部４１の面４１ａに沿うように区画部４０へ導かれる。
【００２０】
区画部４０は、減圧室形成部材３２の減圧室３９と、隔壁部材３１の隔壁凹部４１との間の壁面である。区画部４０のＺ方向の厚みは、隔壁部材３１のうち区画部４０以外の部分の厚みよりも薄く、区画部４０以外の部分に比べて気体の透過性が高くなるように設定される。これにより、区画部４０は、透過機能を有する壁部材である透過壁として機能する。区画部４０は、気体を透過させる機能を有するものであれば他のものを用いてよく、気体透過性を有するフィルムによって構成されてもよい。区画部４０の厚さは、後述する減圧により気泡室３５内の気泡を減圧室３９に透過できる程度の厚さである。区画部４０の気泡室３５側の壁面４０ａは、インクをはじく撥液剤でコーティングされることによって撥液性を有している。
【００２１】
減圧室形成部材３２の下面側には、平面視で矩形状の開口である減圧凹部３８が形成される。減圧室３９は、この減圧凹部３８と、隔壁部材３１とで囲まれて形成された空間である。減圧室３９は、図示しない減圧ポンプによって内部の圧力を各気泡室３５の内部の圧力よりも低圧となるように減圧される。気泡室３５は、共通する１つの減圧室３９に対し、隔壁凹部４１および透過膜である区画部４０を介して個別に隣接する。すなわち、一つの減圧室３９は、複数の気泡室３５の気泡を脱泡される先として共有されている。
【００２２】
隔壁部材３１には、隔壁部材３１をＺ方向の上下に貫通する第一貫通路３１ａが形成される。第一貫通路３１ａは、脱泡室形成部材３０の連絡凹部３４と連通する。減圧室形成部材３２には、減圧室形成部材３２をＺ方向の上下に貫通する第二貫通路３２ａが形成される。第二貫通路３２ａは、隔壁部材３１の第一貫通路３１ａと連通する。第二貫通路３２ａの上端は、上述したバルブユニット１９からの流路２５の下端側と接続される。このように、流路２５は、第二貫通路３２ａ、第一貫通路３１ａを介して、連絡凹部３４とそれぞれ連通している。このように、インクカートリッジ２２から供給されるインクは、インク供給チューブ２４、バルブユニット１９、流路２５を通じて、第二貫通路３２ａと第一貫通路３１ａと連絡凹部３４とからなる供給流路６０を流通し、気泡室３５でフィルター３７により不純物等が除かれた後、流出口３６から液体吐出ヘッド１８へと供給される。
【００２３】
気泡室３５に供給されるインク中に気泡が含まれている場合、気泡は浮力によって隔壁凹部４１に集まり区画部４０に接触する。隔壁凹部４１の上側の減圧室３９が図示しない減圧ポンプによって気泡室３５の圧力よりも低圧となるように減圧される。隔壁凹部４１に集められた気泡は、減圧室３９と気泡室３５との圧力差により、区画部４０を透過して減圧室３９へと脱泡される。
【００２４】
次に、図３を用いて、本実施形態の流路構造体である脱泡ユニット２０が備えるリブ５１の構成について説明する。図３は、リブ５１が備えられる図２の範囲Ａｒを表す拡大図である。本実施形態において、リブ５１は、リブ体の集合体であり、第一リブ体５１１と、第二リブ体５１２とによって構成される。
【００２５】
第一リブ体５１１は、隔壁部材３１のＺ方向側の壁面に形成され、供給流路６０のＺ方向側の内壁に配される。第一リブ体５１１は、隔壁部材３１を形成する合成樹脂の成形により、第一貫通路３１ａと隔壁凹部４１等と併せて形成される。第二リブ体５１２は、脱泡室形成部材３０のＺ方向側とは逆側の壁面に形成され、供給流路６０のＺ方向側とは逆側の内壁に配される。第二リブ体５１２は、脱泡室形成部材３０を形成する合成樹脂の成形により、気泡室３５や流出口３６等と併せて形成される。
【００２６】
本実施形態において、第一リブ体５１１および第二リブ体５１２は、それぞれ円柱状で形成される。各リブ体５１１，５１２を円柱状で形成することによって、例えば供給流路６０にフィルターを備える態様や四角柱状であるリブ体よりも供給流路６０内の流路抵抗の低下を抑制してインクの流通量の低下を抑制するとともに、気泡がフィルターを通過できず流路中に停滞するといった不具合を回避している。本実施形態において、第一リブ体５１１と第二リブ体５１２とは、Ｘ−Ｙ平面上の同一の位置に配置され、一つのリブ５１として機能する。
【００２７】
本実施形態において、リブ５１は、供給流路６０のうち連絡凹部３４内の第一位置Ｐｔ１に備えられる。第一位置Ｐｔ１とは、連絡凹部３４と気泡室３５とが接続される位置である連絡凹部３４の端部Ｅｇから距離Ｄ２の位置である。距離Ｄ２は、図２に示される供給流路６０の全長Ｄ１（Ｄ１１＋Ｄ１２）の略５分の１である。すなわち、本実施形態の脱泡ユニット２０は、供給流路６０のうち、下流側である気泡室３５側の端部Ｅｇから、供給流路６０の全長Ｄ１の略５分の１となる第一位置Ｐｔ１にリブ５１を備える。
【００２８】
次に、図４を用いて本実施形態の脱泡ユニット２０が備えるリブ５１の機能について説明する。図４は、図３のＩＶ−ＩＶ位置の断面図である。図４には、供給流路６０の中心ＡＸが示されている。図４に示されるように、各リブ体５１１，５１２は、供給流路６０の内壁から中心ＡＸには至らない位置に亘って配置された構造体である。すなわち、各リブ体５１１，５１２は、供給流路６０の内壁から供給流路６０の流路の内部に向かって延伸する構造体である。これにより、中心ＡＸ近傍となる第一リブ体５１１と第二リブ体５１２との間には空隙Ｓｐが設けられている。「供給流路６０の流路の内部」とは、供給流路６０内のインクの流通方向に垂直な断面での供給流路６０の形状、すなわち供給流路６０の外形よりも内側のことを表す。「供給流路６０の内壁から供給流路６０の流路の内部に向かう」とは、供給流路６０の内壁から供給流路６０の中心部へ向かう方向のほか、供給流路６０の内壁を始点として供給流路６０の外形よりも内側へ向かう種々の方向を含んでよく、供給流路６０内側へ向かい供給流路６０の流路の中心部を超えてもよい。
【００２９】
本実施形態において、第一リブ体５１１と第二リブ体５１２とは、図４に示すように、Ｙ−Ｚ平面視での供給流路６０の断面において、流路の幅方向であるＹ方向の中央に位置する。これにより、リブ５１は供給流路６０の断面の幅方向の両側に、供給流路６０の外形よりも小さい２つの空間を形成する。すなわち、リブ５１は、供給流路６０の第一位置Ｐｔ１において、供給流路６０の一部をＹ方向の両側に分断している。
【００３０】
このように、本実施形態の流路構造体である脱泡ユニット２０によれば、第一リブ体５１１と第二リブ体５１２とによって構成されるリブ５１が供給流路６０内に備えられ、供給流路６０の一部を分断している。図４には、供給流路６０内を流通する例としての気泡ＢＬ１が示されている。気泡は、インクカートリッジ２２交換時での大気の侵入や、インクに溶存している気体が印刷装置１１の不使用時の温度変化により液体供給路内で成長すること等によって発生する。本実施形態の脱泡ユニット２０では、リブ５１が供給流路６０内に備えられ、供給流路６０の一部を分断することによって、供給流路６０中を流通するインク内の気泡を、分断された２つの空間の大きさ程度に分断することができる。これにより、供給流路６０の下流側である気泡室３５に供給される気泡を小さくすることができ、気泡の除去速度を速めることができる。したがって、区画部４０や減圧室３９を大型化すること無く効率良く気泡を除去できる。区画部４０や減圧室３９の大型化を回避することにより、インク内の水分の蒸発が促進されてインクを増粘させることを回避し、吐出性能の低下を回避している。したがって、本実施形態の脱泡ユニット２０によれば、例えば溶剤を多く含むことにより増粘しやすいインクが用いられる場合には、このようなインクの増粘を抑制することもできる。
【００３１】
本実施形態の脱泡ユニット２０によれば、供給流路６０のうち、気泡室３５側の端部Ｅｇから、供給流路６０の全長Ｄ１の略５分の１となる第一位置Ｐｔ１にリブ５１を備える。すなわち、供給流路６０の全長Ｄ１のうち下流側にリブ５１が備えられる。仮に供給流路６０の上流側にのみリブ５１が設けられていた場合、リブ５１で分断された気泡が、下流側に流れるにしたがい合体することがあり、気泡室３５にたどり着く際には、気泡が必ずしも分断された小さな気泡とはならないことがありえる。これに対し、本実施形態の脱泡ユニット２０によれば、例えば気泡同士が合体することにより供給流路６０の上流側で成長した気泡を分断し、下流側で気泡が成長することを抑制することができ、気泡室３５に大きい気泡が供給されることを抑制できる。なお、本実施形態では供給流路６０の下流側にのみリブ５１が設けられているが、製造コストや液体の流通性を考慮しなければ供給流路６０の全域にわたってリブ５１が設けられていても良い。
【００３２】
本実施形態の脱泡ユニット２０によれば、供給流路６０の中心ＡＸ近傍に空隙Ｓｐが設けられている。これにより、供給流路６０の流路抵抗を大きくすることを回避している。したがって、供給流路６０内のインクの流通量が低下することを抑制し、効率良くインク内の気泡を除去することができる。
【００３３】
本実施形態の脱泡ユニット２０によれば、各リブ体５１１，５１２は、隔壁部材３１や脱泡室形成部材３０と一体的に形成されることにより、例えば各リブ体５１１，５１２に代えてフィルターのような別体の構造体を供給流路６０に備える態様よりも簡易な方法で形成することができる。ただし、供給流路６０は、各リブ体５１１，５１２に加えてフィルター等の別体の構造体を備えてよい。
【００３４】
Ｂ．第２実施形態：
次に、図５および図６を用いて、第２実施形態の脱泡ユニット２０ｂが備えるリブ５１およびリブ５２の構成について説明する。図５は、第２実施形態の脱泡ユニット２０ｂの範囲Ａｒを表す拡大図である。図６は、図５のＶＩ−ＶＩ位置の断面図である。第２実施形態の脱泡ユニット２０ｂは、第１実施形態の脱泡ユニット２０と同様に供給流路６０の第一位置Ｐｔ１にリブ５１を備えるほか、供給流路６０の第二位置Ｐｔ２にリブ５２を備える。すなわち、第２実施形態の脱泡ユニット２０ｂは、供給流路６０内のインクの流通方向に沿った複数の位置に各リブ５１，５２を備える点において第１実施形態の脱泡ユニット２０とは相違する。
【００３５】
本実施形態において、リブ５２は、第一リブ体５２１と、第二リブ体５２２とによって構成される。図６に示されるように、第一リブ体５２１は、脱泡室形成部材３０のＹ方向側とは逆側の壁面、すなわち供給流路６０のＹ方向側とは逆側の内壁に配される。他方、第二リブ体５２２は、脱泡室形成部材３０のＹ方向側の壁面、すなわち供給流路６０のＹ方向側の内壁に配される。第一リブ体５２１および第二リブ体５２２は、脱泡室形成部材３０を形成する合成樹脂の成形により、気泡室３５や流出口３６等と併せて形成される。本実施形態において、第一リブ体５２１および第二リブ体５２２は、リブ５１の各リブ体５１１，５１２と同様に円柱状で形成されるとともに、Ｘ−Ｚ平面上において略同一の第二位置Ｐｔ２に配され、一つのリブ５２として機能する。
【００３６】
本実施形態において、リブ５２は、供給流路６０のうち連絡凹部３４内の第二位置Ｐｔ２に備えられる。第二位置Ｐｔ２とは、リブ５１が備えられる第一位置Ｐｔ１よりも予め定められた間隔を空けて隣接する位置であり、第一位置Ｐｔ１よりも供給流路６０において気泡室３５に近い側、すなわち供給流路６０のインクの流通方向において第一位置Ｐｔ１よりも下流側の位置である。
【００３７】
図６に示されるように、リブ５２の各リブ体５２１，５２２は、供給流路６０の内壁から中心ＡＸ側に向かい中心ＡＸには至らない位置まで延伸された構造体である。これにより、中心ＡＸ近傍となる第一リブ体５２１と第二リブ体５２２との間には空隙Ｓｐ２が設けられている。これにより、リブ５１と同様に供給流路６０内の流路抵抗が大きくなることを抑制している。本実施形態において、空隙Ｓｐ２は、中心ＡＸ近傍においてリブ５１の空隙Ｓｐとは、供給流路６０のインクの流通方向に見た場合に互いに重なる位置であるが、互いに重ならないように第一リブ体５２１と第二リブ体５２２との長さを変えて配置されてもよく、空隙Ｓｐ２は設けられない態様であってもよい。
【００３８】
本実施形態において、リブ５２の第一リブ体５２１と第二リブ体５２２とは、図６に示すＹ−Ｚ平面視での供給流路６０の断面において、流路の高さ方向であるＺ方向の中央近傍に位置する。これにより、リブ５２は、供給流路６０の第二位置Ｐｔ２において、供給流路６０の一部をＺ方向の上下に分断している。リブ５１がＹ方向の両側に供給流路６０を分断するのに対し、リブ５２は、Ｙ方向に交差するＺ方向の上下に供給流路６０を分断する。すなわち、供給流路６０の第一位置Ｐｔ１に備えられるリブ５１の各リブ体５１１，５１２と、リブ５１に対してインクの流通方向の下流側に隣接するリブ５２の各リブ体５２１，５２２とを、流通方向であるＸ方向に沿って見たときに、互いに直交している。リブ５１とリブ５２とは、直交に限らず、３０度や６０度といった任意の角度で交差してもよい。「流通方向に沿って見たとき」とは、各リブ５１，５２とを備えるそれぞれの位置Ｐｔ１，Ｐｔ２での流通方向を互いに重ねた状態で、流通方向に沿って見た状態のことを表す。
【００３９】
以上のように、第２実施形態の脱泡ユニット２０ｂによれば、供給流路６０内のインクの流通方向に沿った複数の位置Ｐｔ１，Ｐｔ２に各リブ５１，５２が備えられる。リブ５１の第一リブ体５１１および第二リブ体５１２と、リブ５２の第一リブ体５２１と第二リブ体５２２とを流路上の複数の位置Ｐｔ１，Ｐｔ２に分けて配置することにより、すべてのリブ体が一つの位置に設けられる態様よりも流路抵抗を小さくしている。つまり、リブ５１とリブ５２とが一つの位置に設けられていると、その位置において供給流路６０の断面積（インクの流通可能な面積）が極端に小さくなることがありえる。リブ５１とリブ５２を異なる位置Ｐｔ１、Ｐｔ２に設けることにより、供給流路６０内のインクの流量の低下を抑制しつつ、気泡室３５に供給される気泡を小さくしている。
【００４０】
第２実施形態の脱泡ユニット２０ｂによれば、供給流路６０の第一位置Ｐｔ１に備えられるリブ５１と、リブ５１よりも下流側である第二位置Ｐｔ２で隣接するリブ５２とが、流通方向であるＸ方向に沿って見たときに互いに直交するように配置している。これにより、上流側であるリブ５１によって一方向の両側に分断された気泡ＢＬ１を、更にこれに直交する方向の両側に分断した気泡ＢＬ２としている。したがって、気泡室３５に供給される気泡をより小さくすることができる。
【００４１】
Ｃ．第３実施形態：
次に、図７および図８を用いて、第３実施形態の脱泡ユニット２０ｃが備えるリブ５１およびリブ５３の構成について説明する。図７は、リブ５１およびリブ５３が備えられる第３実施形態の脱泡ユニット２０ｃの範囲Ａｒを表す拡大図である。図８は、図７のＶＩＩＩ−ＶＩＩＩ位置の断面図である。第３実施形態の脱泡ユニット２０ｃは、第１実施形態の脱泡ユニット２０と同様に供給流路６０の第一位置Ｐｔ１にリブ５１を備えるほか、供給流路６０の第二位置Ｐｔ２にリブ５３を備える。第二位置Ｐｔ２は、第２実施形態の脱泡ユニット２０ｂが備えるリブ５２の第二位置Ｐｔ２と同じ位置であり、リブ５１に対して下流側で隣接する位置である。
【００４２】
本実施形態において、リブ５３は、第一リブ体５３１と、第二リブ体５３２と、第三リブ体５３３と、第四リブ体５３４とによって構成される。第一リブ体５３１および第三リブ体５３３は、供給流路６０のＹ方向側とは逆側の内壁に配され、Ｙ方向とは逆側の供給流路６０の内壁からＹ方向に沿って供給流路６０の中心ＡＸ側に延伸する構造体である。第二リブ体５３２および第四リブ体５３４は、供給流路６０のＹ方向側の内壁に配され、Ｙ方向側の供給流路６０の内壁からＹ方向に沿って供給流路６０の中心ＡＸ側に延伸する構造体である。本実施形態において、各リブ体５３１，５３２，５３３，５３４は、リブ５１の各リブ体５１１，５１２と同様に円柱状で形成されるとともに、第二位置Ｐｔ２に配されて一つのリブ５３として機能する。
【００４３】
本実施形態において、リブ５３の第一リブ体５３１と第二リブ体５３２とはＹ方向に沿った同軸上で互いに対向し、第三リブ体５３３と第四リブ体５３４とはＹ方向に沿った同軸上で互いに対向する位置に配される。より具体的には、同軸上の第一リブ体５３１および第二リブ体５３２と、同軸上の第三リブ体５３３および第四リブ体５３４とが、供給流路６０をＺ方向において略３分割するように互いに等間隔で備えられる。リブ５１がＹ方向の両側に供給流路６０を分断するのに対し、リブ５２は、Ｙ方向に交差するＺ方向に供給流路６０を３つに分断する。供給流路６０の第一位置Ｐｔ１に備えられるリブ５１と、リブ５１に対してインクの流通方向の下流側に隣接するリブ５３とを、流通方向であるＸ方向に沿って見たときに、互いに直交している。
【００４４】
第３実施形態の脱泡ユニット２０ｃによれば、複数の位置Ｐｔ１，Ｐｔ２に各リブ５１，５３を備えるとともに、気泡室３５に近い第二位置Ｐｔ２に備えられるリブ５３を構成する各リブ体５３１，５３２，５３３，５３４の数は、リブ５３に対して供給流路６０の上流側に隣接するリブ５１を構成する各リブ体５１１，５１２の数に対して多くなるように備えられる。これにより、上流側であるリブ５１によってＹ方向の両側に分断された気泡ＢＬ１を、更にＺ方向において略３分割した気泡ＢＬ３としている。したがって、気泡室３５に供給される気泡をより小さくすることができる。リブ５３の下流側には、例えば６つのリブ体によってリブ５３の数よりも多い数のリブ体で構成されるリブが更に備えられてもよい。
【００４５】
Ｄ．第４実施形態：
次に、図９および図１０を用いて、第４実施形態の脱泡ユニット２０ｄが備えるリブ５１ｄおよびリブ５４の構成について説明する。図９は、リブ５１ｄおよびリブ５４が備えられる第４実施形態の脱泡ユニット２０ｄの範囲Ａｒを表す拡大図である。図１０は、図９のＸ−Ｘ位置の断面図である。第４実施形態の脱泡ユニット２０ｄは、第１実施形態の脱泡ユニット２０と同様に供給流路６０の第一位置Ｐｔ１にリブ５１ｄを備えるほか、供給流路６０の第二位置Ｐｔ２にリブ５４を備える。第二位置Ｐｔ２は、第２実施形態の脱泡ユニット２０ｂが備えるリブ５２の第二位置Ｐｔ２と同じ位置であり、リブ５１ｄに対して下流側で隣接する位置である。本実施形態のリブ５１ｄは、第１実施形態のリブ５１とは、供給流路６０の断面において鉛直方向下側に位置するリブ体５１２を備えない点で異なり、その他の構成は、第１実施形態のリブ５１と同様である。
【００４６】
本実施形態において、リブ５４は、第一リブ体５４１と、第二リブ体５４２と、第三リブ体５４３と、第四リブ体５４４とによって構成される。本実施形態において各リブ体５４１，５４２，５４３，５４４は、リブ５１ｄのリブ体５１１と同様に円柱状で形成されるとともに、第二位置Ｐｔ２に配されて一つのリブ５４として機能する。
【００４７】
第一リブ体５４１および第三リブ体５４３は、供給流路６０のＹ方向側とは逆側の内壁に配され、Ｙ方向とは逆側の供給流路６０の内壁からＹ方向に沿って供給流路６０の中心ＡＸ側に延伸する構造体である。第二リブ体５４２および第四リブ体５４４は、供給流路６０のＹ方向側の内壁に配され、Ｙ方向側の供給流路６０の内壁からＹ方向に沿って供給流路６０の中心ＡＸ側に延伸する構造体である。
【００４８】
図１０には、各リブ体５４１，５４２，５４３，５４４のそれぞれの断面積Ｓｑ１，Ｓｑ２，Ｓｑ３，Ｓｑ４が示されている。各リブ体５４１，５４２，５４３，５４４の断面積とは、リブ５４の備えられる第二位置Ｐｔ２における鉛直方向、すなわちＺ方向に沿ったＸ−Ｚ平面上の断面における面積のことを表し、「供給流路６０の断面の面積」とは、Ｚ方向に沿ったＸ−Ｚ平面上の供給流路６０の断面の外形の面積のことを表す。断面積Ｓｑ１，Ｓｑ２，Ｓｑ３，Ｓｑ４を足し合わせた値が、リブ５４の総断面積である。図１０に示されるように、供給流路６０の断面の面積に対するリブ５４が占有する総断面積は、供給流路６０の断面において鉛直方向下側よりも上側の方が大きくなるようにしてリブ５４が配される。換言すれば、リブ５４を構成する各リブ体５４１，５４２，５４３，５４４は、供給流路６０の鉛直方向下側よりも上側に集中して備えられる。リブ５４は、更に供給流路６０の下側の内壁にリブ体を備えたうえで、リブ５４の占有する総断面積が供給流路６０の断面において鉛直方向下側よりも上側の方で大きくなる構成であってもよい。
【００４９】
本実施形態の脱泡ユニット２０ｄによれば、供給流路６０の断面の面積に対してリブ５４が占有する総断面積は、供給流路６０の鉛直方向下側よりも上側の方が大きい。気泡は浮力によって鉛直方向の上側に集まりやすい。リブ５４を鉛直方向上側に集まるようにして備えることによって、鉛直方向の上側の気泡を分断した気泡ＢＬ４とし、気泡室３５に供給される気泡を効率よく小さくすることができる。
【００５０】
本実施形態の脱泡ユニット２０ｄによれば、更に、リブ５４の各リブ体５４１，５４２，５４３，５４４は、供給流路６０の鉛直方向に沿った断面の高さを高さＦｔとしたとき、高さＦｔの略３分の１の高さよりも鉛直方向の上側となる内壁にのみ備えられる。言い換えると、供給流路６０の高さＦｔの略３分の１の高さよりも鉛直方向の下側となる内壁にはリブ体は設けられていない。供給流路６０の鉛直方向下側にリブ体を備えずインク流路の断面積を大きくすることによって供給流路６０の下側の流路抵抗が大きくなることを抑制しつつ、鉛直方向の上側の気泡を分断することができる。したがって、より効率よく気泡を小さくすることができる。ただし、リブ５４の各リブ体５４１，５４２，５４３，５４４は、高さＦｔの３分の１の高さには限定されず、高さＦｔの２分の１の高さよりも鉛直方向の上側となる内壁に備えられてもよいし、高さＦｔの２分の１の高さよりも鉛直方向の上側となる内壁に各リブ体５４１，５４２のみが備えられる態様であってもよい。リブ５４の各リブ体は、高さＦｔの略３分の１の高さよりも鉛直方向の上側となる内壁であってＺ方向とは逆側、すなわち隔壁部材３１のＺ方向側の内壁に備えられることによって、供給流路６０のＺ方向側の内壁から中心ＡＸ側に延伸される構造体であってもよい。
【００５１】
Ｅ．他の実施形態：
（Ｅ１）上記各実施形態において、各リブ体は、それぞれ円柱状で形成されるが各リブ体の形状は円柱状には限定されず、四角柱や六角柱などの種々の多角柱状であってよく、円錐状や四角錐などの種々の錐体状であってもよい。そのほか、供給流路６０の内壁から流路の中心に向かって延伸して垂直に曲がる、いわゆるＬ字型や、十字型、円弧など多角柱や多角錐以外の立体的形状であって、気泡を分断可能な種々の立体的形状であってもよい。例えば、各リブ体の形状が三角柱状である場合には、頂角側の一つの頂点が供給流路６０の上流側に配されることによって、上流から流通する気泡を分断しやすくなる。各リブ体は、脱泡室形成部材３０や隔壁部材３１と一体的に形成されず、供給流路６０の流路断面を複数に区分する別体の構造体が供給流路６０に備えられてもよい。このような態様において、別体の構造体はフィルターを含まない。
【００５２】
（Ｅ２）上記各実施形態において、供給流路６０に備えられる位置は、第１実施形態のような第一位置Ｐｔ１のリブ５１のみや、第２実施形態のリブ５１，５２のように２つの位置Ｐｔ１，Ｐｔ２であるほか、３つ以上の位置に設けられてもよい。また、リブを構成するリブ体の数は、第１実施形態のリブ５１のように２つのリブ体５１１，５１２のほか、１つであってよく、３以上の任意の数で設定してもよい。このような態様において、例えば、供給流路６０の下流側であるほどリブの数が多くなるように、下流側であるほど気泡が小さくなるように分断する構成であることが好ましい。
【００５３】
（Ｅ３）上記各実施形態において、流路構造体である脱泡ユニット２０は減圧室３９を備えているが、必ずしも減圧室３９を備えなくともよい。このような態様において、気泡室３５の壁面が気体を透過可能な材料によって構成されることによって気泡室３５内に集められた気泡は外部へ排出される。
【００５４】
（Ｅ４）上記各実施形態において、供給流路６０の中心ＡＸ近傍となる各リブ体の間には空隙Ｓｐ、空隙Ｓｐ２などの空隙が備えられるが、各リブ体が中心ＡＸに至る位置まで延伸される構造体であることにより空隙Ｓｐが設けられない態様であってもよい。そのほか、脱泡室形成部材３０の内壁から隔壁部材３１の内壁に至る一つのリブ体のみによって各リブ５１〜５４が構成されてよく、隔壁部材３１の内壁から脱泡室形成部材３０の内壁に至る一つのリブ体５１２のみによって各リブ５１〜５４が構成されてもよい。
【００５５】
（Ｅ５）上記各実施形態において、各リブ５１〜５４は、供給流路６０のうち、下流側である気泡室３５側の端部Ｅｇから、供給流路６０の全長Ｄ１の略５分の１となる位置である第一位置Ｐｔ１、第二位置Ｐｔ２に備えられる。これに対して、各リブ５１〜５４は、例えば、第一貫通路３１ａや第二貫通路３２ａなど、供給流路６０内の別の位置に備えられてよい。
【００５６】
Ｆ．他の形態：
本開示は、上述した実施形態に限られるものではなく、その趣旨を逸脱しない範囲において種々の形態で実現することができる。例えば、本開示は、以下の形態によっても実現可能である。以下に記載した各形態中の技術的特徴に対応する上記実施形態中の技術的特徴は、本開示の課題の一部又は全部を解決するために、あるいは、本開示の効果の一部又は全部を達成するために、適宜、差し替えや、組み合わせを行うことが可能である。また、その技術的特徴が本明細書中に必須なものとして説明されていなければ、適宜、削除することが可能である。
【００５７】
（１）本開示の一形態によれば、流路構造体が提供される。この流路構造体は、液体に含まれる気泡を取り除くために前記気泡を一時的に滞留させる気泡室と、前記気泡室に前記液体を供給する供給流路と、前記気泡室から前記液体を排出する排出流路と、を備える。前記供給流路の内壁に、前記内壁から前記供給流路の流路の内部に向かって延伸するリブが備えられる。この形態の流路構造体によれば、供給流路の流路の中心に向かって延伸するリブが供給流路内に備えられる。これにより、供給流路の一部を分断し、供給流路中を流通するインク内の気泡を分断することができる。これにより、供給流路の下流側に供給される気泡を小さくすることができる。
【００５８】
（２）上記形態の流路構造体において、前記リブは、前記内壁のうち、前記供給流路内の前記液体の流通方向に沿った複数の位置にそれぞれ備えられてよい。この形態の流路構造体によれば、リブが複数の位置に分けて備えられることによって、すべてのリブが一つの位置に設けられる態様よりも流路抵抗を小さくしている。これにより、供給流路内のインクの流量の低下を抑制しつつ、気泡室に供給される気泡を小さくすることができる。
【００５９】
（３）上記形態の流路構造体において、前記複数の位置のうち、第一位置と、前記供給流路のうち前記第一位置よりも前記気泡室に近い第二位置とに備えられるリブの数において、前記第二位置に備えられるリブの数は、前記第一位置に備えられるリブの数よりも多くてよい。この形態の流路構造体によれば、第一位置のリブの数よりも気泡室に近い側の第二位置のリブの数を増やすことにより、第二位置のリブが第一位置のリブによって気泡を分断する数よりも多く分断することができる。したがって、気泡室に供給される気泡をより小さくすることができる。
【００６０】
（４）上記形態の流路構造体において、前記複数の位置のいずれかの位置に備えられるリブと、前記複数の位置のいずれかの位置よりも前記気泡室に近い位置に備えられるリブとが、前記流通方向に沿って見たときに、互いに交差してよい。この形態の流路構造体によれば、上流側のリブによって分断された気泡を、更にこれに交差する方向に分断することができる。したがって、気泡室に供給される気泡をより小さくすることができる。
【００６１】
（５）上記形態の流路構造体において、前記リブの備えられる位置における鉛直方向に沿った前記供給流路の断面において、前記断面の面積に対する前記リブの占有面積は鉛直方向下側よりも上側の方が大きくてよい。気泡は浮力によって鉛直方向の上側に集まりやすい。この形態の流路構造体によれば、供給流路の断面においてリブを鉛直方向上側に集まるようにして備えることによって、供給流路の流路抵抗が大きくなることを抑制しつつ、鉛直方向の上側の気泡を分断することができる。したがって、気泡室に供給される気泡を効率よく小さくすることができる。
【００６２】
（６）上記形態の流路構造体において、前記リブは、鉛直方向に沿った前記供給流路の断面の高さの１／３よりも鉛直方向の上側の前記内壁にのみ備えられてよい。この形態の流路構造体によれば、供給流路の流路抵抗が大きくなることを抑制しつつ、鉛直方向の上側の気泡を分断し、気泡室に供給される気泡をより効率よく小さくすることができる。
【００６３】
（７）上記形態の流路構造体において、前記リブは、前記供給流路のうち、前記供給流路の前記気泡室側の端部から、前記供給流路の全長の１／５の位置までの範囲に備えられてよい。この形態の流路構造体によれば、供給流路の全長のうち下流側にリブが備えられる。これにより、例えば気泡同士が合体することにより供給流路の上流側で成長した気泡を分断し、下流側で気泡が成長することを抑制することができ、気泡室に大きい気泡が供給されることを抑制できる。
【００６４】
（８）上記形態の流路構造体において、気体を透過させる透過部材と、前記透過部材を介して前記気泡室と隣接し、前記気泡室よりも低い圧力に減圧される減圧室と、を更に備えてよい。この形態の流路構造体によれば、透過部材および減圧室を備えることにより、気泡室からの気泡の除去速度を速めることができる。
【００６５】
（９）本開示の他の形態によれば、流路構造体と、前記流路構造体から供給される液体を吐出する液体吐出ヘッドが提供される。この液体吐出ヘッドは、前記流路構造体は、液体に含まれる気泡を取り除くために前記気泡を一時的に滞留させる気泡室と、前記気泡室に前記液体を供給する供給流路と、前記気泡室から前記液体を排出する排出流路と、を備える。前記供給流路の内壁に、前記内壁から前記供給流路の流路の内部に向かって延伸するリブが備えられる。
【００６６】
本開示は、インクを吐出する液体吐出ヘッドに限らず、インク以外の他の液体を吐出する任意の液体吐出ヘッドにも適用することができる。例えば、以下のような各種の液体吐出ヘッドに本開示は適用可能である。ファクシミリ装置等の画像記録装置、液晶ディスプレイ等の画像表示装置用のカラーフィルターの製造に用いられる色材吐出ヘッド、有機ＥＬ（Ｅｌｅｃｔｒｏ  Ｌｕｍｉｎｅｓｃｅｎｃｅ）ディスプレイや、面発光ディスプレイ（Ｆｉｅｌｄ  Ｅｍｉｓｓｉｏｎ  Ｄｉｓｐｌａｙ、ＦＥＤ）等の電極形成に用いられる電極材吐出ヘッド、バイオチップ製造に用いられる生体有機物を含む液体を吐出する液体吐出ヘッド、精密ピペットとしての試料吐出ヘッド、潤滑油の吐出ヘッド、樹脂液の吐出ヘッド、時計やカメラ等の精密機械にピンポイントで潤滑油を吐出する液体吐出ヘッド、光通信素子等に用いられる微小半球レンズ（光学レンズ）などを形成するために紫外線硬化樹脂液等の透明樹脂液を基板上に吐出する液体吐出ヘッド、基板などをエッチングするために酸性又はアルカリ性のエッチング液を吐出する液体吐出ヘッド、他の任意の微小量の液滴を吐出させる液体吐出ヘッドの形態で実現することができる。
【符号の説明】
【００６７】
１１…印刷装置、１２…本体フレーム、１３…プラテン、１４…キャリッジガイド、１５…キャリッジ、１６…駆動ベルト、１６ａ…プーリー、１７…キャリッジモーター、１８…液体吐出ヘッド、１９…バルブユニット、２０、２０ｂ、２０ｃ、２０ｄ…脱泡ユニット、２１…カートリッジホルダー、２２…インクカートリッジ、２３…ヘッドユニット、２４…インク供給チューブ、２５…流路、２６…メンテナンスユニット、２７…キャップ、３０…脱泡室形成部材、３１…隔壁部材、３１ａ…第一貫通路、３２…減圧室形成部材、３２ａ…第二貫通路、３４…連絡凹部、３５…気泡室、３６…流出口、３７…フィルター、３８…減圧凹部、３９…減圧室、４０…区画部、４０ａ…壁面、４１…隔壁凹部、４１ａ…面、５１〜５４，５１ｄ…リブ、６０…供給流路、５１１，５２１，５３１，５４１…第一リブ体、５１２，５２２，５３２，５４２…第二リブ体、５３３，５４３…第三リブ体、５３４，５４４…第四リブ体、ＡＸ…中心
【図１】
2020104271.tif 000003
【図２】
2020104271.tif 000004
【図３】
2020104271.tif 000005
【図４】
2020104271.tif 000006
【図５】
2020104271.tif 000007
【図６】
2020104271.tif 000008
【図７】
2020104271.tif 000009
【図８】
2020104271.tif 000010
【図９】
2020104271.tif 000011
【図１０】
2020104271.tif 000012